【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
コンピューターに、
スプレッドシートテーブルを生成するプロセスと、
前記スプレッドシートテーブル上においてデータが入力されているセルのセル属性に対応するデータ入力フィールドを有するフォームを生成するプロセスと、
前記スプレッドシートのセルにデータを入力／修正をする替わりに前記フォームにおいて、データを入力／修正をするために、前記スプレッドシートテーブルにおいて入力したデータを、前記フォームに反映するプロセスと、
前記スプレッドシートテーブル上において入力したデータが反映された前記フォームを表示するコマンドを受信するプロセスと、
前記スプレッドシートテーブル上において入力したデータが反映された前記フォームを受信した前記コマンドに応答して表示するプロセスと
を実行させるためのプログラムを記録したコンピューター読み取り可能な記憶媒体。
【請求項２】
コンピューターに、前記フォームに入力された前記スプレッドシートテーブルの新規のデータを格納するプロセスを実行させるためのプログラムをさらに記録したことを特徴とする請求項１に記載のコンピューター読み取り可能な記憶媒体。
【請求項３】
コンピューターに、前記スプレッドシート上の替わりにデータを入力／修正をするための前記フォームにアクセスするためにユーザーインタフェースを提供するプロセスを実行させるためのプログラムをさらに記録したことを特徴とする請求項１に記載のコンピューター読み取り可能な記憶媒体。
【請求項４】
コンピューターに、前記スプレッドシートテーブル上においてデータが入力されているセルのセル属性に対応するデータ入力フィールドを含むように前記フォームをフォーマットするプロセスを実行させるためのプログラムをさらに記録したことを特徴とする請求項１に記載のコンピューター読み取り可能な記憶媒体。
【請求項５】
コンピューターに、前記スプレッドシートテーブル上においてデータが入力されているセルのセル属性に対応する前記データ入力フィールド内に、前記セル内の既存のデータを表示するプロセスを実行させるためのプログラムをさらに記録したことを特徴とする請求項４に記載のコンピューター読み取り可能な記憶媒体。
【請求項６】
コンピューターに、前記スプレッドシートテーブル上においてデータが入力されているセルのセル属性に対応する前記データ入力フィールド内の修正されたデータを受信するプロセスを実行させるためのプログラムをさらに記録したことを特徴とする請求項４に記載のコンピューター読み取り可能な記憶媒体。
【請求項７】
コンピューターに、前記スプレッドシートテーブル上においてデータが入力されているセルのセル属性に対応する前記データ入力フィールド内の新規のデータを受信するプロセスを実行させるためのプログラムをさらに記録したことを特徴とする請求項４に記載のコンピューター読み取り可能な記憶媒体。
【請求項８】
コンピューターに、前記スプレッドシートテーブルにおける異なる入力へナビゲートするための機構を、前記フォームにおいて提供するプロセスを実行させるためのプログラムをさらに記録したことを特徴とする請求項１に記載のコンピューター読み取り可能な記憶媒体。
【請求項９】
前記スプレッドシートテーブル上において入力したデータが反映されたフォームを表示するプロセスは、前記スプレッドシートテーブルの新規の項目の入力を可能にする新規の項目のビューを表示するプロセスを含むことを特徴とする請求項１に記載のコンピューター読み取り可能な記憶媒体。
【請求項１０】
前記スプレッドシートテーブル上において入力したデータが反映されたフォームを表示するプロセスは、前記スプレッドシートテーブルの現在の項目の閲覧を可能にする閲覧のビューを表示するプロセスを含むことを特徴とする請求項１に記載のコンピューター読み取り可能な記憶媒体。
【請求項１１】
前記閲覧のビューを表示するプロセスは、１つの入力から別の入力へナビゲートするためのナビゲートコントロールを表示するプロセスを含むことを特徴とする請求項１０に記載のコンピューター読み取り可能な記憶媒体。
【請求項１２】
コンピューターに、ウェブページに前記フォームを埋め込むプロセスを実行させるためのプログラムをさらに記録したことを特徴とする請求項１に記載のコンピューター読み取り可能な記憶媒体。
【請求項１３】
前記フォームは、クリップボードツールを用いて、前記ウェブページに埋め込まれることを特徴とする請求項１２に記載のコンピューター読み取り可能な記憶媒体。
【請求項１４】
前記フォームは、前記ウェブページへの前記フォームに対応するコードを直に埋め込むことにより、前記ウェブページに埋め込まれることを特徴とする請求項１２に記載のコンピューター読み取り可能な記憶媒体。
【請求項１５】
コンピューターに、
スプレッドシートのセルにデータを入力／修正をする替わりにフォームにおいて、データを入力／修正をするために、前記スプレッドシートテーブルにおいて入力したデータを反映する当該フォームを生成するプロセスであって、前記フォームは、前記スプレッドシートテーブル上においてデータが入力されているセルのセル属性に対応するデータ入力フィールドを含む、プロセスと、
前記データ入力フィールドの各々のデータ値を含む送信されたフォームの入力を受信するプロセスと、
前記フォームに含まれる前記データ入力フィールドに対応する前記スプレッドシートテーブル上の前記セルに、前記フォームから、前記データ入力フィールドに入力された各データ値を入力するプロセスと、
前記入力されたデータ値を含むスプレッドシートテーブルを格納するプロセスと
を実行させるためのプログラムを記録したコンピューター読み取り可能な記憶媒体。
【請求項１６】
コンピューターに、ウェブページに前記フォームを埋め込むプロセスを実行させるためのプログラムをさらに記録したことを特徴とする請求項１５に記載のコンピューター読み取り可能な記憶媒体。
【請求項１７】
前記フォームは、クリップボードツールを用いて、前記ウェブページに埋め込まれることを特徴とする請求項１６に記載のコンピューター読み取り可能な記憶媒体。
【請求項１８】
前記フォームは、前記ウェブページへの前記フォームに対応するコードを直に埋め込むことによって、前記ウェブページに埋め込まれることを特徴とする請求項１６に記載のコンピューター読み取り可能な記憶媒体。
【請求項１９】
前記フォームを生成するプロセスは、前記スプレッドシートテーブルの新規の項目の入力を可能にする新規の項目のビューを表示するプロセスを含むことを特徴とする請求項１５に記載のコンピューター読み取り可能な記憶媒体。
【請求項２０】
スプレッドシートのセルにデータを入力／修正をする替わりにフォームにおいて、データを入力／修正をするために、前記スプレッドシートテーブルにおいて入力したデータを反映する当該フォームを生成する方法であって、
前記スプレッドシートテーブルを生成するステップと、
前記スプレッドシートテーブル上においてデータが入力されているセルのセル属性に対応するデータ入力フィールドを有するフォームを生成するステップと、
前記スプレッドシートテーブルにおいて入力したデータを、前記フォームに反映するステップと、
前記スプレッドシートテーブル上において入力したデータが反映された前記フォームを表示するコマンドを受信するステップと、
前記スプレッドシートテーブル上において入力したデータが反映された前記フォームを受信した前記コマンドに応答して表示するステップと
を備えたことを特徴とする方法。